(57)【要約】      （修正有）【課題】換気による除湿と温度差の軽減、襖を閉じても中が見えるようにすること、加えて造作も仏壇との統一感による仏間としての一体感を持たせることのできる仏間用の襖を提供する。【解決手段】仏間の開口部に配設する仏間用の襖１であって、上桟、下桟と二本の縦桟からなる長方形状の外枠２と、外枠２の内側に配設した格子部４とを備え、外枠２の表面に仏壇と同じ塗装をし、格子部４の表面に金箔を貼り、かつ格子部４の裏面に紗５を貼付する。【選択図】図１
0003199061.tif 000002
【実用新案登録請求の範囲】
【請求項１】
仏間の開口部に配設する仏間用襖であって上桟、下桟と二本の縦桟からなる長方形状の外枠と、前記外枠の内側に配設した格子部とを備え、前記外枠の表面に仏壇又は仏間と同じ塗装をし、前記格子部の表面に金箔を貼り、かつ前記格子部の裏面に紗を貼付したことを特徴とする仏間用襖。
【請求項２】
前記格子部の範囲のうちの任意の範囲を板状体とし、仏壇又は仏間と同じ塗装をしたことを特徴とする請求項１に記載の仏間用襖。
【請求項３】
前記外枠に飾り金具を取り付けたことを特徴とする請求項１又は２に記載の仏間用襖。
【考案の詳細な説明】
【技術分野】
【０００１】  本考案は仏壇を設置する仏間における襖に関する。
【背景技術】
【０００２】  従来の仏間の襖は、和室の仕切りに通常使用されている木でできた骨組みの両面に、上貼り部として白を基調とした紙や布を張ったものに縁や引き手をつけた襖と同等の造作から作られている。
【考案の概要】
【考案が解決しようとする課題】
【０００３】  従来の襖を閉じると仏間及び仏壇自体に湿気がこもり、耐久性が下がるという問題があった。【０００４】  仏壇は主に黒ないし暗褐色の基調に対して、従来の襖が白基調であることに違和感を持っている人がいるという問題があった。【０００５】  ご本尊様ならびにご先祖様から見守っていただくという考えから、仏壇側から常時見える状態にすることを好む人を、満足させることができないという問題があった。【０００６】  そこで本考案は換気による除湿と温度差の軽減、襖を閉じても中が見えるようにすること、加えて造作も仏壇との統一感による仏間としての一体感を持たせることのできる仏間用の襖を実現することを目的とする。
【課題を解決するための手段】
【０００７】  本考案における仏間とは、和室内における仏壇を配置する空間を意味する。【０００８】  本考案の請求項１における仏間用の襖１は、上桟、下桟と二本の縦桟からなる長方形状の外枠２と、前記外枠２の内側に配設した格子部４とを備え、前記外枠２の表面に仏壇又は仏間と同じ塗装をし、前記格子部４の表面に金箔を貼り、かつ前記格子部４の裏面に紗５を貼付したことを特徴とする。【０００９】  本考案の請求項２における仏間用の襖１は請求項１において、前記格子部４の範囲のうちの任意の範囲を板状体６とし、仏壇又は仏間と同じ塗装をしたことを特徴とする。【００１０】  本考案の請求項３における仏間用の襖１は請求項１又は２において、前記外枠２に飾り金具７を取り付けたことを特徴とする。
【考案の効果】
【００１１】  本考案の請求項１における仏間用の襖１は、格子部４に紗５を張ったものを組み込むことにより換気による除湿と温度差の軽減を可能にすることで仏壇を長持ちさせる効果を得る。【００１２】  本考案の請求項１における仏間用の襖１は、格子部４に紗５を張ったものを組み込むことにより内部の視認を可能にし、仏壇を常時見えることを好む方々を満足させることができる。【００１３】  本考案の仏間用の襖１は、襖自体を仏壇作成の技術と手法を活用することによって仏壇が表現している極楽浄土のイメージの再現による一体感を創出し、また家紋、紋様又は蒔絵８を入れることにより、個々の設置者の独自性を得ることによる満足感を充足させることができる。【００１４】  本考案の請求項２における仏間用の襖１は、請求項１において格子部４の範囲のうちの任意に選択した場所を、仏壇と同様の塗装をした板状体６にすることにより、仏間用の襖１が大きい場合でも必用な剛性を有するようにすることができる。【００１５】  本考案の請求項３における仏間用の襖１は、請求項１又は２において外枠に飾り金具７を取り付けることにより、華やかさや荘厳な印象を付与することができる。
【図面の簡単な説明】
【００１６】
【図１】本考案の実施例を示す、仏間用の襖の概略図１である。
【図２】本考案の実施例を示す、仏間用の襖の概略図２である。
【図３】本考案の実施例を示す、仏間用の襖の概略図３である。
【図４】本考案の実施例を示す、仏間用の襖の概略図４である。
【図５】本考案の実施例を示す、仏間用の襖の概略図５である。
【図６】従来の一般的な襖の概略図である。
【考案を実施するための形態】
【００１７】  本考案の仏間用の襖１は図１乃至図５に示すように、上桟、下桟と二本の縦桟からなる長方形状の外枠２と、前記外枠２の内側に配設した格子部４とを備え、前記外枠２の表面に仏壇又は仏間と同じ塗装をし、前記格子部４の表面に金箔を貼り、かつ前記格子部４の裏面に紗５を貼付する。
【００１８】  本考案の仏間用の襖１は受注生産であり、既存の仏間に合わせて製作することも出来、且つ使用中の仏壇の色や材質に合わせて製作することも出来る。又既存の襖の外枠２を利用して製作することも出来る。
【００１９】  仏間用の襖１の外枠２は仏間３の大きさに合わせて設計製作し、少なくとも上桟、下桟、縦桟からなり、前記外枠２が大きい場合は選択した間隔で中桟３を加えることができる。
【００２０】  本考案の仏間用の襖１は、請求項１に記載の仏間用襖の格子部４の範囲のうちの任意に選択した場所に、図２乃至図５に示すように、使用中の仏壇と同様の塗装をした板状体６を備える。
【００２１】  本考案の仏間用の襖１は、請求項１または請求項２の仏間用の襖１に、図５に示すように、飾り金具７を備える。これにより華やかな雰囲気をただよわせることができる。
【００２２】  本考案の仏間用の襖１の材質は、構成要素である外枠２及び板状体６はマツ、ケヤキ、檜、杉、桐などの木材から作られる。
【００２３】  本考案の仏間用の襖１の外枠２の表面は、既に設置されている仏壇又は仏間の色に合わせて塗装する。例えば黒なら黒、紫檀色なら紫檀色に合わせる。仏壇に塗布する色としては黒色、黒檀色、紫檀色、暗褐色、朱色などがある。
【００２４】  前記板状体６や中桟３を組み込むことにより、仏間用の襖１の剛性を増し、デザインの自由度を拡げる。
【００２５】  一般的な仏壇製造の技術や手法である金箔を貼る技術を使って、格子部４の表面に金箔を貼ることで仏壇との一体感ときらびやかさからくる高級感を持たせる。
【００２６】  板状体６でない範囲は紗５を貼ることにより、換気による除湿と温度差の軽減及び内部の視認が可能になる。従来の襖９は図８に示すように上貼り部１１に全く視認性が無く、換気性も著しく低いものであり、本考案によって初めて、十分な換気ができ、かつ内部を視認できる襖を実現させることができる。
【００２７】  前記板状体６ならびに前記紗５に家紋、紋様、又は蒔絵６を施すことによって、個々の設置者の独自性を得ることによる満足感を充足させる。
【符号の説明】
【００２８】１    仏間用の襖
２    外枠
３    中桟
４    格子部
５    紗
６    板状体
７    飾り金具
８    家紋、紋様、又は蒔絵
９    従来の襖
１０  引手
１１  上貼り部
【図１】
0003199061.tif 000003
【図２】
0003199061.tif 000004
【図３】
0003199061.tif 000005
【図４】
0003199061.tif 000006
【図５】
0003199061.tif 000007
【図６】
0003199061.tif 000008